(57)【要約】【課題】別部品を設けることなく、渦巻状に旋回された蛍光ランプの旋回方向への移動を防止してランプピンの脱落を防止することのできる照明器具を提供する。【解決手段】蛍光ランプ２０を保持するために器具本体１２に設けられたランプ支持バネ３０Ａの側部３１ｃが、口金２３と発光管２２との段差２３ａに当接するので、段差２３ａが発光管２２の旋回方向へ旋回移動するのを防止することができ、旋回移動防止用の別部品を設けることなく、蛍光ランプ２０の旋回方向への移動を防止してランプピン２１の露出、脱落を防止することができる。また、蛍光ランプ２０を装着する際に、蛍光ランプ２０が逃げることなく、ランプピン挿入のガイドの役割を果たすので、ランプ装着性が向上する。【選択図】図１
2009176657.tif 000002
【特許請求の範囲】
【請求項１】
管状の放電路が長手方向中央部を中心として略同一平面に沿って２重渦巻状に旋回された発光管と、前記発光管の両端部にそれぞれ設けられた一対の口金と、前記口金に設けられて前記発光管の軸方向に沿って延びるランプピンと、前記一対の口金間を連結支持するブリッジとを備えた蛍光ランプと、
前記ランプピンと電気的に接続されて前記蛍光ランプに電力を供給するランプソケットと、
前記蛍光ランプを保持するランプ支持バネと、
前記ランプソケットおよび前記ランプ支持バネを介して前記蛍光ランプを内部に保持する器具本体と、
前記器具本体に取付けられて前記蛍光ランプの前面を覆うパネルと、を備えた照明器具であって、
前記ランプ支持バネの側部を、前記口金と前記発光管との段差に当接させたことを特徴とする照明器具。
【請求項２】
管状の放電路が長手方向中央部を中心として略同一平面に沿って２重渦巻状に旋回された発光管と、前記発光管の両端部にそれぞれ設けられた一対の口金と、前記口金に設けられて前記発光管の軸方向に沿って延びるランプピンと、前記一対の口金間を連結支持するブリッジとを備えた蛍光ランプと、
前記ランプピンと電気的に接続されて前記蛍光ランプに電力を供給するランプソケットと、
前記蛍光ランプを保持するランプ支持バネと、
前記ランプソケットおよび前記ランプ支持バネを介して前記蛍光ランプを内部に保持する器具本体と、
前記器具本体に取付けられて前記蛍光ランプの前面を覆うパネルと、を備えた照明器具であって、
前記口金に凹部または凸部を設け、前記ランプ支持バネに前記凹部または凸部を係止して前記発光管の旋回方向への移動を阻止する旋回移動阻止手段を設けたことを特徴とする照明器具。
【請求項３】
前記旋回移動阻止手段が、前記口金を前記ランプソケット方向へ付勢するものであることを特徴とする請求項２記載の照明器具。
【発明の詳細な説明】
【技術分野】
【０００１】
本発明は、管状の放電路が長手方向中央部を中心として略同一平面に沿って２重渦巻状に旋回された蛍光ランプを有する照明器具に関するものである。
【背景技術】
【０００２】
従来より、放電路が２重渦巻状に旋回された蛍光ランプが知られている（例えば特許文献１参照）。
図１５（Ａ）〜（Ｃ）に示すように、特許文献１に記載の蛍光ランプ１００は、管状の放電路が長手方向中央部１０１ａを中心として略同一平面に沿って２重渦巻状に旋回された発光管１０１を有しており、裏面（発光面と反対側）において中央部１０１ａを通って発光管１０１の両端部１０１ｂ、１０１ｂを連結するブリッジ１０２が設けられている。ブリッジ１０２の中央部には、裏側に突出して口金１０３が設けられており、口金１０３の中央には、ランプピン１０４が設けられている。また、ブリッジ１０２から蛍光ランプ１００を貫通して複数の発光管保持部材１０２ａ、１０２ａが設けられており、発光管１０１の途中部分を保持している。さらに、口金１０３から裏側に突出して一対の保持取っ手１０３ａ、１０３ａが設けられている。
【０００３】
また、発光管１０１の両端部１０１ｂ、１０１ｂ内部には、電極としてタングステンフィラメントコイル電極１０５、１０５が封着されており、電極リード線（図示省略）間に架設されている。電極リード線は、ブリッジ１０２に沿って口金１０３まで延設されており、ランプピン１０４に接続されている。発光管１０１の両端部１０１ｂ、１０１ｂには、発光管保持部１０６、１０６が設けられている。
【特許文献１】特開２００７−２７３３３６号公報（第２図）
【発明の開示】
【発明が解決しようとする課題】
【０００４】
しかしながら、前述した特許文献１に記載の蛍光ランプ１００を用いた照明器具においては、蛍光ランプ１００を照明器具に取付けるのにランプ支持バネを２箇所に用いるのが一般的であり、装着した蛍光ランプ１００の上下方向や水平方向の移動を抑制することができるものの、蛍光ランプ１００の発光管１０１の方向に旋回する移動を十分に抑制することができないという問題があった。
【０００５】
本発明は、従来の問題を解決するためになされたもので、別部品を設けることなく、渦巻状に旋回された蛍光ランプの旋回方向への移動を防止してランプピンの脱落を防止することのできる照明器具を提供することを目的とする。
【課題を解決するための手段】
【０００６】
本発明の照明器具は、管状の放電路が長手方向中央部を中心として略同一平面に沿って２重渦巻状に旋回された発光管と、前記発光管の両端部にそれぞれ設けられた一対の口金と、前記口金に設けられて前記発光管の軸方向に沿って延びるランプピンと、前記一対の口金間を連結支持するブリッジとを備えた蛍光ランプと、前記ランプピンと電気的に接続されて前記蛍光ランプに電力を供給するランプソケットと、前記蛍光ランプを保持するランプ支持バネと、前記ランプソケットおよび前記ランプ支持バネを介して前記蛍光ランプを内部に保持する器具本体と、前記器具本体に取付けられて前記蛍光ランプの前面を覆うパネルと、を備えた照明器具であって、前記ランプ支持バネの側部を、前記口金と前記発光管との段差に当接させた構成を有している。
【０００７】
この構成により、蛍光ランプを保持するために器具本体に設けられたランプ支持バネの側部が、口金と発光管との段差に当接するので、段差が発光管の旋回方向へ旋回移動するのを防止することができ、旋回移動防止用の別部品を設けることなく、蛍光ランプの旋回方向への移動を防止してランプピンの露出、脱落を防止することができる。また、蛍光ランプを装着する際に、ランプが逃げることなく、ランプピン挿入のガイドの役割を果たすので、ランプ装着性が向上する。
【０００８】
また、本発明の照明器具は、管状の放電路が長手方向中央部を中心として略同一平面に沿って２重渦巻状に旋回された発光管と、前記発光管の両端部にそれぞれ設けられた一対の口金と、前記口金に設けられて前記発光管の軸方向に沿って延びるランプピンと、前記一対の口金間を連結支持するブリッジとを備えた蛍光ランプと、前記ランプピンと電気的に接続されて前記蛍光ランプに電力を供給するランプソケットと、前記蛍光ランプを保持するランプ支持バネと、前記ランプソケットおよび前記ランプ支持バネを介して前記蛍光ランプを内部に保持する器具本体と、前記器具本体に取付けられて前記蛍光ランプの前面を覆うパネルと、を備えた照明器具であって、前記口金に凹部または凸部を設け、前記ランプ支持バネに前記凹部または凸部を係止して前記発光管の旋回方向への移動を阻止する旋回移動阻止手段を設けた構成を有している。
【０００９】
この構成により、蛍光ランプの口金に凹部または凸部を設けるとともに、蛍光ランプを保持するために器具本体に設けられたランプ支持バネに口金の凹部または凸部を係止する旋回移動阻止手段を設けたので、旋回移動阻止手段により口金が発光管の旋回方向へ旋回移動するのを防止することができ、旋回移動防止用の別部品を設けることなく、蛍光ランプの旋回方向への移動を防止してランプピンの露出、脱落を防止することができる。また、蛍光ランプを装着する際に、ランプが逃げることなく、ランプピン挿入のガイドの役割を果たすので、ランプ装着性が向上する。
【００１０】
さらに、本発明の照明器具は、前記旋回移動阻止手段が、前記口金を前記ランプソケット方向へ付勢する構成を有している。
【００１１】
この構成により、口金に設けられた凹部または凸部を係止するランプ支持バネが、口金をランプソケット方向へ付勢するので、ランプピンの脱落を確実に防止することができる。
【発明の効果】
【００１２】
本発明は、蛍光ランプを保持するために器具本体に設けられたランプ支持バネの側部が、口金と発光管との段差に当接するので、段差が発光管の旋回方向へ旋回移動するのを防止することができ、旋回移動防止用の別部品を設けることなく、蛍光ランプの旋回方向への移動を防止してランプピンの露出、脱落を防止することができる。また、蛍光ランプを装着する際に、ランプが逃げることなく、ランプピン挿入のガイドの役割を果たすので、ランプ装着性が向上するという効果を有する照明器具を提供することができるものである。
【発明を実施するための最良の形態】
【００１３】
以下、本発明の実施の形態の照明器具について、図面を用いて説明する。
図１は本発明の第１実施形態にかかる照明器具を示す分解斜視図、図２（Ａ）は平面らせん形蛍光灯の平面図、図２（Ｂ）は図２（Ａ）中Ｂ方向から見た正面図、図３はランプソケットの斜視図、図４（Ａ）は平面らせん形蛍光灯を取付ける前の状態を示す斜視図、図４（Ｂ）は平面らせん形蛍光灯をランプ支持バネで保持した状態を示す斜視図、図５（Ａ）は平面らせん形蛍光灯を反射板に装着した状態を示す正面図、図５（Ｂ）は側面図、図５（Ｃ）は平面図である。
【００１４】
図１に示すように、本発明の第１実施形態にかかる照明器具１０は、天井や壁等の壁面１１に固定して使用するものであり、例えば矩形箱状の器具本体１２と、器具本体１２の前面開口を覆う透明あるいは半透明の樹脂等からなるパネル１３を有している。器具本体１２の底板１２ａには、一方の端部寄りに商用交流電源（図示省略）に接続されている点灯装置１４等の電気部品が取付けられており、点灯装置１４等を覆うとともにパネル１３を取付けるための取付板１５が設けられている。パネル１３は、ネジ１３ａを取付板１５のネジ穴１５ａに螺合し、締め付けることにより着脱可能に取付けられる。
【００１５】
また、底板１２の中央部および他方の端部よりには、蛍光ランプとしての平面らせん形蛍光灯２０の照明光をパネル１３側に反射して照明効率を向上させる反射板１６が設けられており、反射板１６の上面に、平面らせん形蛍光灯２０を装着するための一対のランプソケット１７、１７が取付けられている。これらランプソケット１７、１７は、電源線（図示省略）によって、点灯装置１４に接続されている。そして、器具本体１２における平面らせん形蛍光灯２０に対向する面である反射板１６の上面には、平面らせん形蛍光灯２０をランプソケット１７に装着した際に、平面らせん形蛍光灯２０の発光管２２を保持するランプ支持バネ３０Ａが設けられている。
【００１６】
図２に示すように、平面らせん形蛍光灯２０は、管状の放電路が長手方向中央部２２ａを始点として同一平面に沿って２重渦巻状に旋回された発光管２２を有しており、発光管２２の中央部２２ａは、その他の部分に比して太径となっており、最冷点となっている。発光管２２の両端部にはそれぞれ口金２３、２３が取付けられており、両口金２３、２３は、発光管２２の中央部２２ａに対して、点対称の位置に設けられている。なお、両口金２３、２３は、照射方向と反対側の裏面に設けられたブリッジ２４によって連結されている。また、各口金２３、２３には、平面らせん形蛍光灯２０の平面に直交する方向に一対のランプピン２１が一端を発光管２２の軸方向に沿って突出して設けられており、他端は発光管２２の内側端部に設けられているフィラメント（図示省略）に接続されている。
【００１７】
図３に示すように、ランプソケット１７は、例えば円柱状の本体１７ａを有しており、本体１７ａにはランプピン２１を挿入するためのランプピン挿入溝１７ｂが設けられている。ランプピン挿入溝１７ｂの内部には、一対のランプピン２１、２１を保持して導通するために一対の導電板１７ｃ、１７ｃが設けられている。また、本体１７ａの外周面に沿ってランプピン挿入溝１７ｂを閉じる開閉蓋１７ｄが設けられている。
【００１８】
図４（Ａ）に示すように、ランプ支持バネ３０Ａは、反射板１６に取付けられるベース部３１ａと、平面らせん形蛍光灯２０を保持する保持部３１ｂとを有しており、保持部３１ｂの上端は外側へ拡がるように折り曲げられている。保持部３１ｂは、平面らせん形蛍光灯２０を保持する前の状態では、ランプソケット１７に装着される平面らせん形蛍光灯２０の位置よりも図４（Ａ）中矢印Ａ方向へ位置しており、平面らせん形蛍光灯２０を保持する際には平面らせん形蛍光灯２０に押し付けられるようになっている。また、ランプ支持バネ３０Ａの側部であるランプソケット１７側の側面３１ｃが、口金２３と発光管２２との段差、すなわちここでは口金２３の側面２３ａに当接するように、ランプ支持バネ３０Ａが配置される。
【００１９】
従って、平面らせん形蛍光灯２０を器具本体１２に取付ける際には、図４（Ａ）に示すように、平面らせん形蛍光灯２０の両端の口金２３、２３に設けられているランプピン２１、２１を、ランプソケット１７のランプピン挿入溝１７ｂに位置決めする。そして、ランプ支持バネ３０Ａの保持部３１ｂを外側へ開きながら平面らせん形蛍光灯２０を下降（すなわち、反射板１６に近づく方向へ移動）させて、ランプピン２１をランプソケット１７の内部に挿入する。これにより、口金２３に隣接する発光管２２の端部２２ｂをランプ支持バネ３０Ａの保持部３１ｂにより保持するとともに、ランプ支持バネ３０Ａの側面３１ｃを口金２３の側面２３ａへ当接させる。その後、ランプソケット１７の取っ手１７ｅを操作して開閉蓋１７ｄを閉じることにより固定する（図５（Ａ）〜（Ｃ）参照）。
【００２０】
以上、説明した照明器具１０によれば、平面らせん形蛍光灯２０を保持するために器具本体１２の反射板１６に設けられたランプ支持バネ３０Ａの側部１８ｃが、口金２３と発光管２２との段差である口金２３の側面２３ａに当接するので、口金２３が発光管２２の旋回方向へ旋回移動するのを防止することができ、旋回移動防止用の別部品を設けることなく、平面らせん形蛍光灯２０の旋回方向への移動を防止してランプピン２１の露出および脱落を防止することができる。また、平面らせん形蛍光灯２０をランプ支持バネ３０Ａに装着する際に、平面らせん形蛍光灯２０が逃げることなく、ランプピン挿入のガイドの役割を果たすので、ランプ装着性が向上する。
【００２１】
次に、本発明の第２の実施の形態について、図面を用いて説明する。
図６は本発明の第２実施形態にかかる照明器具を示す分解斜視図、図７（Ａ）は平面らせん形蛍光灯を取付ける前の状態を示す斜視図、図７（Ｂ）は平面らせん形蛍光灯をランプ支持バネで保持した状態を示す斜視図、図８（Ａ）は平面らせん形蛍光灯を反射板に装着した状態を示す正面図、図８（Ｂ）は側面図、図８（Ｃ）は平面図である。なお、前述した第１実施形態にかかる照明器具と共通する部位には同じ符号を付して、重複する説明を省略することとする。
【００２２】
図６〜図８に示すように、本発明の第２実施形態にかかる照明器具１０Ｂにおいては、口金２３に凸部２３ｂ（図７（Ａ）参照）を設け、ランプ支持バネ３０Ｂの保持部３１ｂに、口金２３の凸部２３ｂを係止して発光管２２の旋回方向への移動を阻止する旋回移動阻止手段としてのスリット３２を設けたものである。なお、口金２３に設ける凸部２３ｂは、図７（Ａ）に示すように、口金２３の外側面のみに設けてもよいが、口金２３の全周にわたって設けるようにしてもよい。また、ランプ支持バネ３０Ｂに設けるスリット３２は、口金２３の凸部２３ｂを収容できる大きさがあれば足りるが、保持部３１ｂ全体にわたって設けるようにしてもよい。
【００２３】
従って、平面らせん形蛍光灯２０を器具本体１２に取付ける際には、図７（Ａ）に示すように、平面らせん形蛍光灯２０の両端の口金２３、２３に設けられているランプピン２１、２１を、ランプソケット１７のランプピン挿入溝１７ｂに位置決めする。そして、ランプ支持バネ３０Ｂの保持部３１ｂを外側へ開きながら平面らせん形蛍光灯２０を下降（すなわち、反射板１６に近づく方向へ移動）させて、ランプピン２１をランプソケット１７の内部に挿入するとともに口金２３の凸部２３ｂをランプ支持バネ３０Ｂのスリット３２に嵌合させる。これにより、口金２３を保持する。その後、ランプソケット１７の取っ手１７ｅを操作して開閉蓋１７ｄを閉じることにより固定する（図８（Ａ）〜（Ｃ）参照）。
【００２４】
以上、説明した照明器具１０Ｂによれば、平面らせん形蛍光灯２０の口金２３に凸部２３ｂを設けるとともに、ランプ支持バネ３０Ｂに口金２３の凸部２３ｂを係止するスリット３２を設けたので、凸部２３ｂがスリット３２に嵌合することにより、口金２３が発光管２２の旋回方向へ旋回移動するのを防止することができ、旋回移動防止用の別部品を設けることなく、平面らせん形蛍光灯２０の旋回方向への移動を防止してランプピン２１の露出および脱落を防止することができる。
【００２５】
なお、上述した照明器具１０Ｂにおいては、口金２３に凸部２３ｂを設け、ランプ支持バネ３０Ｂにスリット３２を設けた場合について説明したが、この他、口金２３に凹部を設け、ランプ支持バネ３０Ｂの内側に旋回移動阻止手段として凸部を設けるようにしても同様の作用・効果を得ることができる。
【００２６】
次に、本発明の第３の実施の形態について、図面を用いて説明する。
図９は本発明の第３実施形態にかかる照明器具を示す分解斜視図、図１０（Ａ）は平面らせん形蛍光灯を取付ける前の状態を示す斜視図、図１０（Ｂ）は平面らせん形蛍光灯をランプ支持バネで保持した状態を示す斜視図、図１１（Ａ）は平面らせん形蛍光灯を反射板に装着した状態を示す正面図、図１１（Ｂ）は側面図、図１１（Ｃ）は平面図である。なお、前述した第１および第２実施形態にかかる照明器具と共通する部位には同じ符号を付して、重複する説明を省略することとする。
【００２７】
図９〜図１１に示すように、本発明の第３実施形態にかかる照明器具１０Ｃにおいては、口金２３の保持部３１ｂに凹部２３ｃ（図１０（Ａ）参照）を設け、ランプ支持バネ３０Ｃを口金２３の凹部２３ｃに嵌合させることにより発光管２２の旋回方向への移動を阻止するものである。口金２３に設ける凹部２３ｃの幅は、ランプ支持バネ３０Ｃが嵌合可能な大きさが必要である。また、図１０（Ａ）に示すように、口金２３の周方向に沿って幅方向両端部に突起を設けることにより凹部２３ｃを形成することができるが、口金２３の肉厚を削ることにより凹部を形成するようにしてもよい。なお、凹部２３ｃは、口金２３の外側面に設ければ足りるが、全周に設けることも可能である。
【００２８】
従って、平面らせん形蛍光灯２０を器具本体１２に取付ける際には、図１０（Ａ）に示すように、平面らせん形蛍光灯２０の両端の口金２３、２３に設けられているランプピン２１、２１を、ランプソケット１７のランプピン挿入溝１７ｂに位置決めする。そして、ランプ支持バネ３０Ｃの保持部３１ｂを外側へ開きながら平面らせん形蛍光灯２０を下降（すなわち、反射板１６に近づく方向へ移動）させて、ランプピン２１をランプソケット１７の内部に挿入するとともに口金２３の凹部２３ｃに沿ってランプ支持バネ３０Ｃを嵌合させる。これにより、口金２３を保持する。その後、ランプソケット１７の取っ手１７ｅを操作して開閉蓋１７ｄを閉じることにより固定する（図１１（Ａ）〜（Ｃ）参照）。
【００２９】
以上、説明した照明器具１０Ｃによれば、平面らせん形蛍光灯２０の口金２３に凹部２３ｃを設けるとともに、ランプ支持バネ３０Ｃを凹部２３ｃに嵌合させるので、口金２３が発光管２２の旋回方向へ旋回移動するのを防止することができ、旋回移動防止用の別部品を設けることなく、平面らせん形蛍光灯２０の旋回方向への移動を防止してランプピン２１の露出および脱落を防止することができる。
【００３０】
次に、本発明の第４の実施の形態について、図面を用いて説明する。
図１２は本発明の第４実施形態にかかる照明器具を示す分解斜視図、図１３（Ａ）は平面らせん形蛍光灯を取付けた状態を後方からみた正面図、図１３（Ｂ）は側面図、図１４（Ａ）は平面らせん形蛍光灯を反射板に装着した状態を示す正面図、図１４（Ｂ）は側面図、図１４（Ｃ）は平面図である。なお、前述した第１〜第３実施形態にかかる照明器具と共通する部位には同じ符号を付して、重複する説明を省略することとする。
【００３１】
図１２〜図１４に示すように、本発明の第４実施形態にかかる照明器具１０Ｄにおいては、ランプ支持バネ３０Ｄに、口金２３と発光管２２との段差である口金２３の側面２３ａに当接させる押圧部３３を設けたものであり、押圧部３３は口金２３をランプソケット１７方向へ付勢する。押圧部３３は、ランプ支持バネ３０Ｄのベース部３１ａの一端から上方へ曲げ上げて形成することができる。押圧部３３の先端は、平面らせん形蛍光灯２０を挿入する際に容易に口金２３の側面２３ａを押圧できるように、外側へ開くように折曲加工するのがよい。また、押圧部３３の上端部が発光管２２に干渉しないように高さを設定する。
【００３２】
従って、平面らせん形蛍光灯２０を器具本体１２に取付ける際には、平面らせん形蛍光灯２０の両端の口金２３、２３に設けられているランプピン２１、２１を、ランプソケット１７のランプピン挿入溝１７ｂに位置決めする。そして、ランプ支持バネ３０Ｄの保持部３１ｂを外側へ開きながら平面らせん形蛍光灯２０を下降（すなわち、反射板１６に近づく方向へ移動）させて、ランプピン２１をランプソケット１７の内部に挿入するとともにランプ支持バネ３０Ｄの押圧部３３により口金２３の側面２３ｂを押圧する。その後、ランプソケット１７の取っ手１７ｅを操作して開閉蓋１７ｄを閉じることにより固定する（図１４（Ａ）〜（Ｃ）参照）。
【００３３】
以上、説明した照明器具１０Ｄによれば、ランプ支持バネ３０Ｄに押圧部３３を設けて口金２３の側面２３ａを押圧するようにしたので、口金２３が発光管２２の旋回方向へ旋回移動するのを防止することができ、旋回移動防止用の別部品を設けることなく、平面らせん形蛍光灯２０の旋回方向への移動を防止してランプピン２１の露出および脱落を防止することができる。
【００３４】
なお、本発明の照明器具は、前述した実施形態に限定されるものでなく、適宜な変形，改良等が可能である。
例えば、前述した各実施形態においては、矩形箱状の器具本体１２を例示したが、これに限らず、例えば円形箱状等にも適用できる。
【図面の簡単な説明】
【００３５】
【図１】本発明の第１実施形態にかかる照明器具を示す分解斜視図
【図２】（Ａ）は平面らせん形蛍光灯の平面図、（Ｂ）は（Ａ）中Ｂ方向から見た正面図
【図３】ランプソケットの斜視図
【図４】（Ａ）は平面らせん形蛍光灯を取付ける前の状態を示す斜視図、（Ｂ）は平面らせん形蛍光灯をランプ支持バネで保持した状態を示す斜視図
【図５】５（Ａ）は平面らせん形蛍光灯を反射板に装着した状態を示す正面図、図５（Ｂ）は側面図、図５（Ｃ）は平面図
【図６】本発明の第２実施形態にかかる照明器具を示す分解斜視図
【図７】（Ａ）は平面らせん形蛍光灯を取付ける前の状態を示す斜視図、（Ｂ）は平面らせん形蛍光灯をランプ支持バネで保持した状態を示す斜視図
【図８】（Ａ）は平面らせん形蛍光灯を反射板に装着した状態を示す正面図、（Ｂ）は側面図、図８（Ｃ）は平面図
【図９】本発明の第３実施形態にかかる照明器具を示す分解斜視図
【図１０】（Ａ）は平面らせん形蛍光灯を取付ける前の状態を示す斜視図、（Ｂ）は平面らせん形蛍光灯をランプ支持バネで保持した状態を示す斜視図
【図１１】（Ａ）は平面らせん形蛍光灯を反射板に装着した状態を示す正面図、（Ｂ）は側面図、（Ｃ）は平面図
【図１２】本発明の第４実施形態にかかる照明器具を示す分解斜視図
【図１３】（Ａ）は平面らせん形蛍光灯を取付けた状態を後方からみた正面図、（Ｂ）は側面図
【図１４】（Ａ）は平面らせん形蛍光灯を反射板に装着した状態を示す正面図、（Ｂ）は側面図、（Ｃ）は平面図
【図１５】（Ａ）は従来の蛍光ランプを示す光照射面側から見た斜視図、（Ｂ）は反対側から見た斜視図、（Ｃ）は平面図
【符号の説明】
【００３６】
１０、１０Ｂ、１０Ｃ、１０Ｄ  照明器具
１２  器具本体
１３  パネル
１７  ランプソケット
２０  平面らせん形蛍光灯（蛍光ランプ）
２１  ランプピン
２２  発光管
２２ａ  中央部
２３  口金
２３ａ  側面（段差）
２３ｂ  凸部
２３ｃ  凹部
２４  ブリッジ
３０Ａ〜３０Ｄ  ランプ支持バネ
３１ｃ  側面（側部）
３２  スリット（旋回移動阻止手段）
【図１】
2009176657.tif 000003
【図２】
2009176657.tif 000004
【図３】
2009176657.tif 000005
【図４】
2009176657.tif 000006
【図５】
2009176657.tif 000007
【図６】
2009176657.tif 000008
【図７】
2009176657.tif 000009
【図８】
2009176657.tif 000010
【図９】
2009176657.tif 000011
【図１０】
2009176657.tif 000012
【図１１】
2009176657.tif 000013
【図１２】
2009176657.tif 000014
【図１３】
2009176657.tif 000015
【図１４】
2009176657.tif 000016
【図１５】
2009176657.tif 000017